(57)【要約】【課題】画像の視認性を向上させるとともに、当該画像の意味をユーザに適切に伝達すること。【解決手段】画像処理装置において、透過反射部材に投影される画像の背景の明るさを取得する取得部と、前記背景の明るさが所定の閾値以上である場合、前記画像の表示色に応じた色度の範囲内で、前記画像の表示色を変更する変更部と、を有する。【選択図】図４
2019015893.tif 000002
【特許請求の範囲】
【請求項１】
透過反射部材に投影される画像の背景の明るさを取得する取得部と、
前記背景の明るさが所定の閾値以上である場合、前記画像の表示色に応じた色度の範囲内で、前記画像の表示色を変更する変更部と、
を有する画像処理装置。
【請求項２】
前記画像の表示色に応じた色度の範囲は、赤、青、黄、及び緑の少なくとも１つの色
度の範囲である、
請求項１に記載の画像処理装置。
【請求項３】
前記画像の表示色が白である場合、前記画像の表示色に応じた色度の範囲は、色度図において、白色点から、青または黄色方向に延びる範囲である、
請求項１または２に記載の画像処理装置。
【請求項４】
前記変更部は、前記背景の明るさに応じて、前記画像の表示色と、前記画像の基準となる表示色との色差の大きさを変更する、
請求項１乃至３のいずれか一項に記載の画像処理装置。
【請求項５】
前記取得部は、前記背景の色度を取得し、
前記変更部は、前記画像の表示色と前記背景の色度との色差が大きくなるように、前記画像の表示色を変更する、
請求項１乃至４のいずれか一項に記載の画像処理装置。
【請求項６】
前記変更部は、１以上の前記画像のうち、所定の種別である前記画像の表示色を変更する、
請求項１乃至５のいずれか一項に記載の画像処理装置。
【請求項７】
前記取得部は、前記画像を表示するレーザ光源の温度を取得し、
前記変更部は、前記温度に基づいて、前記所定の閾値を決定する、
請求項１乃至６のいずれか一項に記載の画像処理装置。
【請求項８】
センサ、光源、及び画像処理装置を有する表示システムであって、
前記センサから、透過反射部材に投影される画像の背景の明るさを取得する取得部と、
前記背景の明るさが所定の閾値以上である場合、前記画像の表示色に応じた色度の範囲内で、前記画像の表示色を変更する変更部と、
前記光源に、前記変更部により変更された表示色により、前記画像を前記透過反射部材に投影させる表示部と、
を有する表示システム。
【請求項９】
画像処理装置が、
透過反射部材に投影される画像の背景の明るさを取得するステップと、
前記背景の明るさが所定の閾値以上である場合、前記画像の表示色に応じた色度の範囲内で、前記画像の表示色を変更するステップと、
を実行する画像処理方法。
【請求項１０】
コンピュータに、
透過反射部材に投影される画像の背景の明るさを取得するステップと、
前記背景の明るさが所定の閾値以上である場合、前記画像の表示色に応じた色度の範囲内で、前記画像の表示色を変更するステップと、
を実行させるプログラム。
【発明の詳細な説明】
【技術分野】
【０００１】
本発明は、画像処理装置、表示システム、画像処理方法、及びプログラムに関する。
【背景技術】
【０００２】
従来、自動車や航空機等の移動装置において、ユーザの視野に直接情報を映し出すヘッドアップディスプレイ（ＨＵＤ、Head-Up Display）が知られている。ＨＵＤでは、表示画像光をコンバイナにより反射させて虚像を生成し、これを運転者が視認する。このとき、虚像を透かして路面などの背景をみることができる。
【０００３】
引用文献１には、フロントカメラにより撮像した撮像画像において最も明度が高いＲＧＢの要素を特定し、特定した要素以外の２色の要素についてより明度を高くすることにより、ＨＵＤに表示されるコンテンツを視認しやすくする技術が開示されている。
【発明の概要】
【発明が解決しようとする課題】
【０００４】
引用文献１記載の技術では、ＲＧＢの明度を高くしたために、ＨＵＤに表示されるコンテンツの画像の色味が変化した場合、当該画像の意味がユーザに誤解される可能性があるという問題がある。例えば、本来は赤で表示される禁止や警告等を表す画像が、赤以外の色で表示されると、当該画像の意味が誤解される可能性がある。
【０００５】
そこで、画像の視認性を向上させるとともに、当該画像の意味をユーザに適切に伝達することができる技術を提供することを目的とする。
【課題を解決するための手段】
【０００６】
画像処理装置において、透過反射部材に投影される画像の背景の明るさを取得する取得部と、前記背景の明るさが所定の閾値以上である場合、前記画像の表示色に応じた色度の範囲内で、前記画像の表示色を変更する変更部と、を有する。
【発明の効果】
【０００７】
開示の技術によれば、画像の視認性を向上させるとともに、当該画像の意味をユーザに適切に伝達することができる。
【図面の簡単な説明】
【０００８】
【図１】実施形態に係る表示システムのシステム構成の一例を示す図である。
【図２】実施形態に係る表示装置のハードウェア構成の一例を示す図である。
【図３】実施形態に係る表示装置の機能ブロックの一例を示す図である。
【図４】第１の表示装置の処理の一例を示すフローチャートである。
【図５】背景の輝度に対する所定の閾値について説明する図である。
【図６】コンテンツが白の場合の色の変化について説明する図である。
【図７】コンテンツが白以外の場合の、コンテンツの表示色の変化量について説明する図である。
【図８】コンテンツが白以外の場合の色の変化の方向について説明する図である。
【図９】表示装置の表示画面の一例を示す図である。
【図１０】第２の表示装置の処理の一例を示すフローチャートである。
【図１１】背景の色度に応じた表示色の変化について説明する図である。
【発明を実施するための形態】
【０００９】
以下、本発明の実施形態について、図面を参照しながら詳細に説明する。
【００１０】
＜システム構成＞
まず、本実施形態に係る表示システム１のシステム構成について、図１を用いて説明する。図１は、実施形態に係る表示システム１のシステム構成の一例を示す図である。
【００１１】
図１に示すように、実施形態に係る表示システム１は、車両、航空機、船舶等の移動装置に搭載される。表示システム１は、表示装置１０、照度センサ２０、及びカメラ３０を有する。
【００１２】
なお、以下では、表示システム１を車両に搭載した例について説明するが、表示システム１は、車両以外の移動装置においても適用可能である。
【００１３】
表示装置１０は、例えば、ＨＵＤ、ヘッドマウントディスプレイ（Head Mounted Display）等の表示装置である。以下では、表示装置１０がＨＵＤである場合を例として説明する。表示装置１０は、例えば、自車両３０１のダッシュボード内に設置される。表示装置１０から発せられる画像光である投射光Ｌが光の透過反射部材としてのフロントガラス３０２で反射され、視認者である運転者３００に向かう。ここで、透過反射部材は、例えば、光の一部を透過するとともに、光の一部を反射する部材である。これにより、フロントガラス３０２に画像が投影され、運転者３００は、ナビゲーション用の画像等のコンテンツ画像（「画像」の一例。以下で単に「コンテンツ」とも称する。）を虚像Ｇとして視認することができる。なお、フロントガラス３０２の内壁面に透過反射部材としてのコンバイナを設置し、コンバイナによって反射する投射光Ｌによって運転者に虚像を視認させるように構成してもよい。
【００１４】
照度センサ２０は、例えば、照度計や輝度計であり、コンテンツである虚像Ｇが生成される位置周辺の輝度や照度等の明るさを取得する。
【００１５】
カメラ３０は、移動装置の前方の画像を撮影するカメラである。
【００１６】
照度センサ２０、及びカメラ３０は、例えば、フロントガラス３０２の上部に設けられてもよい。なお、第１の実施形態においては、照度センサ２０、及びカメラ３０のうち少なくとも一方を有すればよい。
【００１７】
＜ハードウェア構成＞
次に、本実施形態に係る表示装置１０のハードウェア構成について、図２を用いて説明する。図２は、実施形態に係る表示装置１０のハードウェア構成の一例を示す図である。
【００１８】
表示装置１０は、ＦＰＧＡ２５１、ＣＰＵ２５２、ＲＯＭ２５３、ＲＡＭ２５４、インターフェース（以下、Ｉ／Ｆという）２５５、バスライン２５６、ＬＤドライバ２５７、ＭＥＭＳコントローラ２５８を備えている。ＦＰＧＡ２５１は、ＬＤドライバ２５７により、光源ユニット２２０のレーザ光源２０１Ｒ、２０１Ｇ、２０１Ｂを動作制御し、ＭＥＭＳコントローラ２５８により、光走査装置のＭＥＭＳ２０８ａを動作制御する。ＣＰＵ２５２は、表示装置１０の各機能を制御する。ＲＯＭ２５３は、ＣＰＵ２５２が表示装置１０の各機能を制御するために実行する画像処理用プログラム等の各種プログラムを記憶している。ＲＡＭ２５４はＣＰＵ２５２のワークエリアとして使用される。
【００１９】
Ｉ／Ｆ２５５は、外部コントローラ等と通信するためのインターフェースであり、例えば、自車両３０１のＣＡＮ（Ｃｏｎｔｒｏｌｌｅｒ  Ａｒｅａ  Ｎｅｔｗｏｒｋ）を介して、車両ナビゲーション装置、各種センサ装置等に接続される。また、Ｉ／Ｆ２５５には、表示装置１０の表示情報及びその背景画像を含む前方画像をフロントガラス３０２越しに撮影するカメラ３０が接続される。Ｉ／Ｆ２５５には、環境光の明度（又は照度）及び色度を検出する照度センサ２０が接続される。
【００２０】
表示装置１０は、Ｉ／Ｆ２５５を介して記録媒体２５５ａの読み取りや書き込みを行うことができる。記録媒体２５５ａには、フレキシブルディスク、ＣＤ、ＤＶＤ、ＳＤメモリカード、ＵＳＢメモリ等がある。
【００２１】
［第１の実施形態］
＜機能構成＞
次に、図３を参照し、実施形態に係る表示装置１０の機能構成について説明する。図３は、実施形態に係る表示装置１０の機能ブロックの一例を示す図である。
【００２２】
表示装置１０は、取得部１１、変更部１２、及び表示部１３を有する。これら各部は、表示装置１０にインストールされた１以上のプログラムが、表示装置１０のＣＰＵ２５２に実行させる処理により実現される。
【００２３】
取得部１１は、照度センサ２０、またはカメラ３０から、コンテンツが虚像により表示される際の、当該虚像の背景の明るさを取得する。なお、以下では「明るさ」の一例として「輝度」を用いる例について説明するが、「明るさ」として「照度」等を用いてもよい。
【００２４】
変更部１２は、取得部１１により取得された背景の輝度が所定の閾値以上でない場合、コンテンツの輝度を、背景の輝度に対し、ユーザによる視認が容易であり、かつユーザにとって眩しくない輝度（以下で「快適輝度」と称する。）に変更する。
【００２５】
また、変更部１２は、取得部１１により取得された背景の輝度が所定の閾値以上である場合、コンテンツの輝度を、表示可能な輝度の上限値に変更するとともに、コンテンツの表示色に応じた色度の範囲内で、コンテンツの表示色（色度）を変更する。
【００２６】
表示部１３は、変更部１２により変更された輝度、及び表示色により、コンテンツを表示する。
【００２７】
＜処理＞
次に、図４を参照し、第１の実施形態に係る表示装置１０の処理について説明する。図４は、第１の実施形態に係る表示装置１０の処理の一例を示すフローチャートである。なお、図４の処理は、例えば、周期的なタイミングで行ってもよい。以下では、表示装置１０が、輝度、及び色度を変化させて表示する各コンテンツを、「処理対象のコンテンツ」と称する。
【００２８】
ステップＳ１において、取得部１１は、照度センサ２０、またはカメラ３０から、背景の輝度を取得する。ここで、カメラ３０を用いる場合は、取得部１１は、カメラ３０により撮影された画像から、背景の輝度を算出する。
【００２９】
続いて、変更部１２は、背景の輝度が、所定の閾値以上であるか否かを判定する（ステップＳ２）。
【００３０】
図５は、背景の輝度に対する所定の閾値について説明する図である。図５に示すように、快適輝度５０１は、縦軸をコンテンツの表示輝度の対数、横軸を背景の輝度の対数とした対数軸上で、背景の輝度に対してほぼ直線的（リニア）としてもよい。
【００３１】
図５に示すように、表示装置１０が対応可能な背景の輝度の下限と上限を、それぞれ、Ｂ０、Ｂ２とする。また、表示装置１０のハードウェア等の制約により、快適輝度の値が、表示装置１０にて表示可能な輝度の上限値Ａを超える際の背景の輝度の値をＢ１とする。この場合、上述した所定の閾値を、図５のＢ１としてもよい。
【００３２】
この場合、表示装置１０がレーザ光源を用いる場合等は、温度等の環境要因の変化により、表示可能な輝度の上限が変化するため、当該所定の閾値も変化する。そのため、変更部１２は、例えば、温度センサ等によりレーザ光源の周囲の温度を検出し、検出した温度に応じて、当該所定の閾値を決定してもよい。
【００３３】
背景の輝度が、所定の閾値以上でない場合（ステップＳ２でＮＯ）、変更部１２は、処理対象のコンテンツの表示輝度の値を、快適輝度の値に設定（変更）し（ステップＳ３）、後述するステップＳ８の処理に進む。
【００３４】
ここで、変更部１２は、表示するコンテンツの視認性を確保するため、背景の輝度が高ければ（背景が明るければ）、コンテンツの表示輝度を高くする。背景の輝度に対して、コンテンツの表示輝度が高過ぎると、ユーザにとって眩しくなり、不快に感じさせる。そのため、変更部１２は、コンテンツの表示輝度を、快適輝度に設定する。変更部１２は、コンテンツを快適輝度で表示できる場合は、コンテンツの輝度のみを調整してもよい。
【００３５】
変更部１２は、背景の輝度に応じた快適輝度を算出するために、例えば、背景の輝度の各値に対する快適輝度の各値が設定されたテーブルを、予め記憶しておいてもよい。または、変更部１２は、所定の数式に基づいて、背景の輝度の値を変数（パラメータ）として快適輝度を算出してもよい。
【００３６】
背景輝度が、所定の閾値以上である場合（ステップＳ２でＹＥＳ）、変更部１２は、処理対象のコンテンツの表示輝度の値を、表示装置１０にて表示可能な輝度の上限値（図５のＡ）に設定する（ステップＳ４）。
【００３７】
続いて、変更部１２は、処理対象のコンテンツの本来の表示色が、白であるか否かを判定する（ステップＳ５）。ここで、コンテンツの本来の表示色とは、当該コンテンツに対応付けて予め設定されている色である。
【００３８】
処理対象のコンテンツの本来の表示色が、白である場合（ステップＳ５でＹＥＳ）、変更部１２は、処理対象のコンテンツの表示色を、色度図上における黄色方向、または青方向に変化させ（ステップＳ６）、ステップＳ８の処理に進む。
【００３９】
ここで、人間の知覚では、白色が、黄色−青方向に変化した場合と、赤−緑方向に変化した場合とを比較すると、黄色−青方向に変化した場合の方が、比較的許容できる。つまり、赤みがかった白や、緑がかった白よりも、黄みがかった白や、青みがかった白の方が好まれる。そこで、変更部１２は、コンテンツが白色の場合は、例えば、Ｂ成分の輝度を主に変化させて色差を発生させてもよい。この場合、変更部１２は、コンテンツの表示色について、ＲＧＢの各色の輝度の変化量を、それぞれΔＹＲ、ΔＹＧ、ΔＹＢとすると、ΔＹＢ＞ΔＹＲ、かつ、ΔＹＢ＞ΔＹＧとなるように変化させてもよい。これにより、視認性の確保と、比較的自然な色味の変化を両立できる。
【００４０】
図６は、コンテンツが白の場合の色の変化について説明する図である。図６の例では、ＣＩＥ  １９７６  ＵＣＳ色度図が示されている。なお、色度図は、ＣＩＥ  １９７６  ＵＣＳ色度図に限定されず、どのような色度図を用いてもよい。なお、ＣＩＥ  １９７６  ＵＣＳ色度図は、色度図上の全ての個所において、輝度の等しい色の感覚差が図上の幾何学的距離にほぼ比例するように意図して目盛を定めた色度図である。
【００４１】
変更部１２は、ステップＳ６の処理において、コンテンツの表示色を、図６に示す白６０１から黄色方向、または青方向において比較的広い範囲６０２に含まれる色に変化させる。ここで、変更部１２は、背景の輝度が高い程、コンテンツの表示色を、図６に示す白６０１から黄色方向、または青方向に離れた色に変更してもよい。
【００４２】
処理対象のコンテンツの本来の表示色が、白でない場合（ステップＳ５でＮＯ）、変更部１２は、処理対象のコンテンツの表示色を、コンテンツの本来の表示色に応じた色の範囲において、白から遠くなる方向に変化させる（ステップＳ７）。
【００４３】
図７は、コンテンツが白以外の場合の、コンテンツの表示色の変化量について説明する図である。
【００４４】
コンテンツの本来の表示色（u0',v0'）と、変化後の色（u1',v1'）との色差ΔＥは、以下の式で表される。なお、一のコンテンツの本来の表示色に、複数の色が含まれる場合は、当該一のコンテンツの本来の表示色の平均値を（u0',v0'）としてもよい。
【００４５】
【数１】
2019015893.tif 000003
すなわち、図６等の色度図において、第１の色度を示す点と、第２の色度を示す点との間の距離が離れているほど、当該第１の色度と、第２の色度との色差は大きい。
【００４６】
図７に示すように、背景の輝度が図５のＢ１を超えた場合の、コンテンツの本来の表示色（基準）と、変化後の色との色差をΔＥ１２、背景の輝度が図５のＢ１を超えていない場合の、コンテンツの本来の表示色と、変化後の色との色差をΔＥ０１とする。なお、ΔＥ０１は、背景の輝度が図５のＢ０からＢ１の間であり、コンテンツが快適輝度で表示されている場合の、コンテンツの本来の表示色と、変化後の色との色差の平均値でもよい。これは、快適輝度において、表示装置１０のハードウェアの制約等により、コンテンツの本来の表示色と、コンテンツを実際に表示する色とに色差が生じるためである。
【００４７】
背景の輝度が図５のＢ１を超えた場合、変更部１２は、以下の式を満たすように、コンテンツの表示色を変化させる。
【００４８】
ΔＥ１２＞ΔＥ０１                  ・・・（２）
図８は、コンテンツが白以外の場合の色の変化の方向について説明する図である。表示装置１０のレーザによるＲＧＢ光源２０１Ｒ、２０１Ｇ、２０１Ｂの波長が、それぞれ、例えば、６４０、５５０、４６５（ｎｍ）である場合、表示装置１０の表示可能な色域は、図８の三角形８００となる。三角形８００の各頂点８０１、８０２、８０３は、それぞれ、Ｒ（赤）、Ｇ（緑）、Ｂ（青）の色を示す。
【００４９】
図８には、頂点８０１と頂点８０２との中点８１１と、白の色を示す白色点（白色色度点）８０４との線分８２１が示されている。また、頂点８０２と頂点８０３との中点８１２と、白色点８０４との線分８２２が示されている。また、頂点８０３と頂点８０１との中点８１３と、白色点８０４とを通る直線８２３が示されている。また、頂点８０１と頂点８０２との線分８２４と、直線８２３との交点８１４が示されている。
【００５０】
変更部１２は、ステップＳ７において、コンテンツの本来の表示色に応じた色の範囲を、以下の４つの範囲とする。
【００５１】
（１）中点８１１、白色点８０４、及び頂点８０２を頂点とする黄色の範囲８５１。
【００５２】
（２）交点８１４、白色点８０４、中点８１２、及び頂点８０２を頂点とする緑の範囲８５２。
【００５３】
（３）中点８１２、白色点８０４、中点８１３、及び頂点８０３を頂点とする青の範囲８５３。
【００５４】
（４）中点８１３、白色点８０４、中点８１１、及び頂点８０１を頂点とする赤の範囲８５４。
【００５５】
ここで、範囲８５１乃至８５４は、それぞれ、黄色、緑、青、赤と見なせる範囲である。変更部１２は、コンテンツの本来の表示色が、黄色、緑、青、赤の場合、それぞれ、範囲８５１乃至８５４において、白色点８０４から遠くなる方向に変化させる。この場合、変更部１２は、背景の輝度が高い程、コンテンツの表示色を、図８に示す白色点８０４から離れた色に変更してもよい。このように、コンテンツの表示色を、本来の色味から逸脱しない範囲で変化させることにより、黄色は注意、緑は安全、青は指示、赤は危険等の、コンテンツの表示色に応じた意味を阻害せず、運転者に無駄な注意を払わせることが無いように表示することができる。
【００５６】
続いて、表示部１３は、設定された輝度、及び色差で、処理対象のコンテンツを表示し（ステップＳ８）、処理を終了する。
【００５７】
図９は、表示装置１０の表示画面の一例を示す図である。図９の例では、表示エリア９００の下部表示領域に、道路の固有情報（道路名、制限速度等）を示すコンテンツの画像が表示される。ここで、道路の固有情報は、例えば、車両用のナビゲーション装置から表示装置１０に入力される。図９の例では、当該道路固有情報に対応する道路名表示画像９０１、制限速度表示画像９０２、追い越し禁止表示画像９０３等が表示されている。
【００５８】
なお、ＪＩＳ（日本工業規格）により安全を確保するために規定されている「ＪＩＳ安全色彩」によると、赤は「危険」、黄色は「注意」、緑は「安全」という意味で用いられる。また、基本的な安全色彩は、世界共通である。このように、表示色には暗黙の了解としての意味がある。その意味を考慮せずにコンテンツの表示色を環境によって変化させると、コンテンツの表す意味が変わってしまい、運転者を混乱させるという問題がある。例えば、警告を示すために本来は赤（Ｒ=２５５、Ｇ=０、Ｂ=０）で表示されるコンテンツについて、ＲＧＢ成分を調整し黄色（Ｒ=２５５、Ｇ=２５５、Ｂ=０）として表示したとする。この場合、背景等によっては視認性が向上する場合がある。しかし、「黄色」の持つ意味は「注意」であるため、当該コンテンツの意味が変わってしまう。
【００５９】
本実施形態によれば、コンテンツの表示色を、所定の色度の範囲内で変化させるため、コンテンツの視認性を向上させるとともに、当該コンテンツの意味をユーザに適切に伝達することができる。
【００６０】
＜変形例＞
変更部１２は、取得部１１により取得された背景の輝度が所定の閾値以上である場合、複数のコンテンツのうち、所定の種別であるコンテンツについてのみ、表示色を変更してもよい。この場合、変更部１２は、例えば、虚像として表示されるコンテンツのみ、表示色を変更してもよい。これにより、例えば、フロントガラス３０２よりも遠い位置に虚像として表示されるコンテンツの視認性を高めることができる。
【００６１】
また、変更部１２は、例えば、図９の追い越し禁止表示画像９０３等、危険や注意等を示すコンテンツについてのみ、表示色を変更してもよい。これにより、例えば、運転者３００にとって比較的重要な情報についてのみ、背景輝度が高い場合でも、視認性を高めることができる。
【００６２】
［第２の実施形態］
次に、第２の実施形態について説明する。第１の実施形態では、背景の輝度に応じて、コンテンツの表示色を、コンテンツの本来の表示色から、色度図上の所定の方向に変化させる例について説明した。第２の実施形態では、背景の輝度、及び背景の色に応じて、コンテンツの表示色を、コンテンツの本来の表示色から、色度図上の所定の方向に変化させる例について説明する。第２の実施形態によれば、コンテンツの視認性をより向上させることができる。
【００６３】
なお、第２の実施形態は一部を除いて第１の実施形態と同様であるため、適宜説明を省略する。以下では、第１の実施形態と共通する部分については説明を省略し、異なる部分についてのみ説明する。なお、第２の実施形態に記載の内容は、第１の実施形態にも適用可能である。
【００６４】
＜機能構成＞
次に、図３を参照し、実施形態に係る表示装置１０の機能構成について説明する。
【００６５】
第２の実施形態に係る取得部１１は、さらに、背景の色度を取得する。
【００６６】
第２の実施形態に係る変更部１２は、さらに、背景の色度に応じて、コンテンツの表示色を変更する。
【００６７】
＜処理＞
次に、図１０を参照し、第２の実施形態に係る表示装置１０の処理について説明する。図１０は、第２の実施形態に係る表示装置１０の処理の一例を示すフローチャートである。なお、図１０の処理は、例えば、周期的なタイミングで行ってもよい。
【００６８】
ステップＳ２０１において、取得部１１は、背景の輝度、及び背景の色度（色）を取得する。ここで、背景の色度は、例えば、カメラ３０により撮影された画像に基づいて、各コンテンツの虚像が生成される位置に対する背景の色度を算出してもよい。
【００６９】
ステップＳ２０２乃至ステップＳ２０５、ステップＳ２０８の処理は、図４のステップＳ２乃至ステップＳ５、ステップＳ８とそれぞれ同様である。
【００７０】
ステップＳ２０６において、変更部１２は、処理対象のコンテンツの表示色を、背景の色度に応じて、色度図上における黄色方向、または青方向に変化させ、ステップＳ２０８の処理に進む。ここで、例えば、図６に示す色度図上の範囲６０２において、コンテンツの表示色と、背景の色度との色差が大きくなるように、コンテンツの表示色を変化させてもよい。例えば、背景が夕焼け等により黄色がかっていれば、コンテンツの表示色を青方向に変化させる。
【００７１】
ステップＳ２０７において、変更部１２は、処理対象のコンテンツの表示色を、コンテンツの本来の表示色に応じた色の範囲において、背景の色度に応じて変化させる。ここで、例えば、コンテンツの本来の表示色に応じた色の範囲において、コンテンツの表示色と、背景の色度との色差が大きくなるように、コンテンツの表示色を変化させてもよい。
【００７２】
図１１は、背景の色度に応じた表示色の変化について説明する図である。図１１の例では、コンテンツの表示色１００２を、コンテンツの表示色１００２に応じた範囲８５１において、コンテンツの表示色１００２と、背景の色度１００１との色差１００３が大きくなるように、コンテンツの表示色を変化させる。
【００７３】
以上、本発明の実施例について詳述したが、本発明は斯かる特定の実施形態に限定されるものではなく、特許請求の範囲に記載された本発明の要旨の範囲内において、種々の変形・変更が可能である。
【００７４】
例えば、表示装置１０の各機能部は、１以上のコンピュータにより構成されるクラウドコンピューティングにより実現されていてもよい。
【符号の説明】
【００７５】
１    表示システム
１０  表示装置（「画像処理装置」の一例）
１１  取得部
１２  変更部
１３  表示部
２０  照度センサ（「センサ」の一例）
３０  カメラ（「センサ」の一例）
２０１Ｂ  レーザ光源
２０１Ｇ  レーザ光源
２０１Ｒ  レーザ光源
【先行技術文献】
【特許文献】
【００７６】
【特許文献１】特開２０１５−１７８２９７号公報
【図１】
2019015893.tif 000004
【図２】
2019015893.tif 000005
【図３】
2019015893.tif 000006
【図４】
2019015893.tif 000007
【図５】
2019015893.tif 000008
【図６】
2019015893.tif 000009
【図７】
2019015893.tif 000010
【図８】
2019015893.tif 000011
【図９】
2019015893.tif 000012
【図１０】
2019015893.tif 000013
【図１１】
2019015893.tif 000014